【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
複写機能を有する画像形成装置の操作部からの指示に応じて、前記画像形成装置によって第一のテストチャートを形成し、
前記第一のテストチャートを読取部によって読み取り、
前記第一のテストチャートの読取結果を用いて、第一の画像形成コンディションを設定し、
前記画像形成装置によって形成される記述言語で記述されたデータを送信するコンピュータにおけるインタフェイスからの指示もしくは前記記述されたデータをラスタライズするコントローラの操作部からの指示に応じて、前記画像形成装置により第二のテストチャートを形成し、
前記前記第二のテストチャートを読取部によって読み取り、
前記第二のテストチャートの読取結果を用いて、第二の画像形成コンディションを設定することを特徴とする画像処理方法。
【請求項２】
前記第一および第二のテストチャートを読み取る読取部は共通であることを特徴とする請求項1に記載された画像処理方法。
【請求項３】
前記第一および第二の画像形成コンディションは、前記画像形成装置による複写動作時と前記画像形成装置によるプリント動作時に用いられることを特徴とする請求項1に記載された画像処理方法。
【請求項４】
さらに、前記第一のテストチャートを読取部に配置させるためのガイダンスを表示部に表示することを特徴とする請求項1に記載された画像処理方法。
【請求項５】
さらに、前記第二のテストチャートを読取部に配置させるためのガイダンスを表示部に表示することを特徴とする請求項1に記載された画像処理方法。
【請求項６】
画像形成装置により複数のテストチャートを形成し、
前記複数のテストチャートを読取部によって読み取り、
前記読み取りの結果を用いて、画像変換特性を作成する各ステップを有し、
前記画像変換特性には、前記画像形成装置と前記読取部を用いた複写動作用の変換特性、および、記述言語で記述されたデータをラスタライズした画像をプリントするプリント処理用の変換特性が含まれることを特徴とする画像処理方法。
【請求項７】
前記複写動作用および前記プリント処理用の画像変換特性は、複数の解像度に応じて、それぞれ複数あることを特徴とする請求項6に記載された画像処理方法。
【請求項８】
前記画像変換特性は、解像度の高いテストチャートと解像度の低いテストチャートを読み取って作成することを特徴とする請求項6に記載された画像処理方法。
【請求項９】
少なくともSWOPの色を含む複数の標準色再現を実現するための変換特性群を保持し、
前記変換特性群から一つの変換特性を選択し、
前記選択した変換特性によって画像データを変換することを特徴とする画像処理方法。
【請求項１０】
前記標準色再現はDICおよびEUROを含むことを特徴とする請求項9に記載された画像処理方法。
【請求項１１】
前記変換特性はキャリブレーションによって得られることを特徴とする請求項9に記載された画像処理方法。
【請求項１２】
前記変換特性群はプリンタコントローラ内のハードディスクに保持されているか、前記画像データを送信するコンピュータから供給されることを特徴とする請求項9に記載された画像処理方法。
【請求項１３】
原稿画像から第一の画像信号を生成する第一の生成手段と、
ページ記述言語で記述された画像データから第二の画像信号を生成する第二の生成手段と、
前記第一または第二の画像信号を補正する補正手段と、
前記補正手段によって補正した画像信号に基づき記録媒体に可視像を形成する形成手段と、
前記第一の画像信号に基づき、前記第一の画像信号に対応する画像形成における前記補正手段の補正処理および前記形成手段の画像形成条件を設定する第一の設定手段と、
前記第二の画像信号に基づき、前記第二の画像信号に対応する画像形成における前記補正手段の補正処理および前記形成手段の画像形成条件を設定する第二の設定手段とを有することを特徴とする画像処理装置。
【請求項１４】
カラーコピーモード用のキャリブレーション処理を実行する手段と、
カラープリントモード用のキャリブレーション処理を実行する手段とを有することを特徴とするカラー画像処理装置。
【請求項１５】
カラーコピーモード用のキャリブレーション処理モード、カラープリントモード用のキャリブレーション処理モード、および、色見本に対応するキャリブレーション処理モードを備えるカラー複写機に接続される画像処理装置であって、
前記カラー複写機に対してキャリブレーション処理の実行を指示する指示コマンドを出力する出力手段を有することを特徴とする画像処理装置。
【請求項１６】
前記カラー複写機には、前記キャリブレーション処理モードそれぞれで生成された画像形成条件および色処理条件が格納される格納手段が備えられていることを特徴とする請求項15に記載された画像処理装置。
【請求項１７】
さらに、複数の標準的な色見本に対応する特性をもつキャリブレーション処理をマニュアル選択するための選択手段を有することを特徴とする請求項15または請求項16に記載された画像処理装置。
【請求項１８】
前記色見本に対応するキャリブレーション処理モードにおいて、前記カラー複写機独自のキャリブレーション機能は停止されることを特徴とする請求項17に記載された画像処理装置。
【請求項１９】
前記色見本に対応するキャリブレーション処理モードにおけるキャリブレーションは前記画像処理装置によって実行されることを特徴とする請求項17または請求項18に記載された画像処理装置。
【請求項２０】
カラーコピーモード用のキャリブレーション処理モード、カラープリントモード用のキャリブレーション処理モード、および、色見本に対応するキャリブレーション処理モードを備えるカラー複写機に接続される画像処理装置の画像処理方法であって、
前記カラー複写機に対してキャリブレーション処理の実行を指示する指示コマンドを出力することを特徴とする画像処理方法。
【請求項２１】
原稿画像から第一の画像信号を生成する第一の生成手段、ページ記述言語で記述された画像データから第二の画像信号を生成する第二の生成手段、および、前記第一または第二の画像信号に基づき記録媒体に可視像を形成する形成手段を備える画像処理装置であって、
前記第一の生成手段を利用して、前記第二の画像信号に基づき形成される可視像の画像調整を行う第一の調整手段と、
所定特性の変換テーブルを用いて、前記第二の画像信号に画像調整を施す第二の調整手段とを有することを特徴とする画像処理装置。
【請求項２２】
前記第二の調整手段に利用される変換テーブルは、標準的な色見本に対応する変換特性を有することを特徴とする請求項21に記載された画像処理装置。
【請求項２３】
さらに、複数の標準的な色見本の中から選択される色見本に対応する変換テーブルを前記第二の調整手段に設定する設定手段を有することを特徴とする請求項21に記載された画像処理装置。
【請求項２４】
前記第二の調整手段に利用される変換テーブルは、色見本のカラーパッチから作成される変換特性を有することを特徴とする請求項21から請求項23の何れかに記載された画像処理装置。
【請求項２５】
原稿画像から第一の画像信号を生成する第一の生成手段、ページ記述言語で記述された画像データから第二の画像信号を生成する第二の生成手段、および、前記第一または第二の画像信号に基づき記録媒体に可視像を形成する形成手段を備える画像処理装置の画像処理方法であって、
前記第一の生成手段を利用して、前記第二の画像信号に基づき形成される可視像の画像調整を行い、
所定特性の変換テーブルを用いて、前記第二の画像信号に画像調整を施すことを特徴とする画像処理方法。
【請求項２６】
画像処理装置を制御して、請求項1から請求項12、請求項20および請求項25の何れかに記載された画像処理を実現するプログラムが記録されたことを特徴とする記録媒体。